(57)【要約】【課題】蓋の係止機構をサイド部にも有しつつ、手提げハンドルをスマートに設けた保冷箱を提供する。【解決手段】容器本体１０の所定の対向側壁間には、該側壁同士Ｓ１，Ｓ２の対向方向枢軸３０Ｊを中心として回動可能ハンドル３０が装着されており、他の対向側壁の側壁Ｓ３と蓋２０との間には係止機構２０Ｋ１が設けられており、前記の側壁Ｓ２と蓋との間には、ロック部材７０を有するロック機構が設けられており、ロック部材は枢軸８０を介して容器本体に枢着されており、蓋をロックしたロック位置からロック部材が最も離隔したロック解除位置において該ロック部材を解除可能に保持できる保持機構６０Ａ，９０を具備し、ロック部材がロック解除位置にある状態においてハンドルは回動できる。【選択図】図４
2010173662.tif 000002
【特許請求の範囲】
【請求項１】
容器本体（１０）と蓋（２０）とを具備する直方体形状の保冷箱であって、前記容器本体の所定の対向側壁間には、該所定対向側壁の側壁同士（Ｓ１，Ｓ２）が対向する方向に延伸した枢軸（３０Ｊ，３０Ｊ’）を中心として回動可能なブリッジ状の手提げハンドル（３０）が装着されており、
容器本体の他の対向側壁の少なくとも一方の側壁（Ｓ３）と蓋との間には、該一方の側壁に対応する蓋縁部を解放可能に保持できる係止機構（２０Ｋ１）が設けられており、前記所定対向側壁の一の側壁（Ｓ２）と蓋との間には、該一の側壁に対応する蓋縁部を保持可能なロック部材（７０）を有するロック機構が設けられており、
前記ロック部材は前記他の対向側壁（Ｓ３，Ｓ４）の側壁対向方向に延伸した枢軸（８０）を介して容器本体に枢着されており、蓋をロックしたロック部材のロック位置から該ロック部材が最も離隔したロック解除位置において該ロック部材を解除可能に保持できる保持機構（６０Ａ，９０）を具備し、
前記ロック部材が前記ロック解除位置にある状態において前記ハンドルはその回動が可能である
ことを特徴とする保冷箱。
【請求項２】
蓋を開放した状態において、前記ロック部材は容器本体の所定部（１５）に当接することでそのロック方向回動が規制され、該ロック部材がこのロック方向回動規制位置にあって蓋を閉めた際に、前記ロック機構の一部を構成して蓋に設けられている蓋側係止部（２０Ｋ）が上方から当接して該ロック部材をロック解除位置の方向に押しやることのできる傾斜部（７０Ｓ）をロック材が具備している請求項１記載の保冷箱。
【請求項３】
前記ロック機構に、ロック部材を常時ロック方向に付勢する弾力性部材を設けている請求項１又は２記載の保冷箱。
【発明の詳細な説明】
【技術分野】
【０００１】
本発明は、魚釣りやレジャーに使用できるクーラーボックス等の保冷箱（保温箱を含む）に関する。
【背景技術】
【０００２】
保冷箱は、下記特許文献１の図１に図示されているように、その運搬のために手提げハンドルが設けられていることが一般的であり、その他、矩形状の蓋の一辺縁部に対応して開閉操作部１０Ｋが設けられている。また、下記特許文献２に開示されているように、蓋の隣接する直交二辺の各縁部を係止するための係止具１０，１０ａが、対応する容器本体位置に設けられている。後者は、保冷箱が大型化すると、保冷箱の長手方向側壁部、即ち、正面部に係止具を設けただけでは蓋の係止が不十分であるためにサイド部にも設けたものである。更には、下記特許文献３にも、正面部と共にサイド部にも係止具を設けた保冷箱が開示されている。
【特許文献１】特開２００７−１９５４９４号公報
【特許文献２】特許第３０９０５９５号公報
【特許文献３】実開昭６４−５０７１号公報
【発明の開示】
【発明が解決しようとする課題】
【０００３】
然しながら、上記後者２つの公報では、サイド部の係止具は大きく外方向に倒れる。従って、このままの係止構造でサイド部に手提げハンドルを装着する場合、ハンドルと係止具とが干渉しないためには、ハンドルの装着部付近を大きく外方に膨出させる必要がある。これでは美観が損なわれ、保冷箱の商品価値が損なわれる。
依って解決しようとする課題は、蓋の係止機構をサイド部にも有しつつ、手提げハンドルをスマートに設けた保冷箱の提供である。
【課題を解決するための手段】
【０００４】
上記課題解決のために第１の発明は、容器本体と蓋とを具備する直方体形状の保冷箱であって、前記容器本体の所定の対向側壁間には、該所定対向側壁の側壁同士が対向する方向に延伸した枢軸を中心として回動可能なブリッジ状の手提げハンドルが装着されており、容器本体の他の対向側壁の少なくとも一方の側壁と蓋との間には、該一方の側壁に対応する蓋縁部を解放可能に保持できる係止機構が設けられており、前記所定対向側壁の一の側壁と蓋との間には、該一の側壁に対応する蓋縁部を保持可能なロック部材を有するロック機構が設けられており、前記ロック部材は前記他の対向側壁の側壁対向方向に延伸した枢軸を介して容器本体に枢着されており、蓋をロックしたロック部材のロック位置から該ロック部材が最も離隔したロック解除位置において該ロック部材を解除可能に保持される保持機構を具備し、前記ロック部材が前記ロック解除位置にある状態において前記ハンドルはその回動が可能であることを特徴とする保冷箱を提供する。
ロック部材は、その先部が上方に位置しつつ該ロック部材が概ね上下方向となるロック位置からロックを解除した状態での可動範囲は４５度以下、好ましくは３５度以下、更に好ましくは２５度以下に規制されるとよい。
【０００５】
第２の発明は、蓋を開放した状態において、前記ロック部材は容器本体の所定部に当接することでそのロック方向回動が規制され、該ロック部材がこのロック方向回動規制位置にあって蓋を閉めた際に、前記ロック機構の一部を構成して蓋に設けられている蓋側係止部が上方から当接して該ロック部材をロック解除位置の方向に押しやることのできる傾斜部をロック材が具備している。
第３の発明は、第１や第２の前記ロック機構に、ロック部材を常時ロック方向に付勢する弾力性部材を設けている。
【発明の効果】
【０００６】
第１の発明では、ロック部材はロック解除位置において保持機構によってその位置を保持できるため、両手が自由になり、蓋の開放操作や、その後の容器本体への獲物の出し入れに両手が使用でき、容易になる。また、ロック部材を保持機構によってロック解除位置に保持して蓋を開放させ、容器本体に獲物の出し入れをしている最中等に誤って手提げハンドルを回動させてしまっても、該ハンドルはロック部材とは干渉せず、両部材の損傷が防止できる。更には、ロック解除位置とロック位置のロック部材先部の移動は小さく、蓋を閉めてサイド部（所定対向側壁の一の側壁側）をロックする場合、手で横方向から押すだけの直線的な一動作で済み、非常に簡便である。
ロック部材の先部が上方に位置し、概ね上下方向に指向したロック位置から４５度以下の角度範囲のロック解除位置にあると、ロック部材は、その先部がロック位置から外方に少しの距離（４５度以下の可動角度の正弦分）しか移動しないため、実質水平移動する。
【０００７】
第２の発明では、仮に不用意にロック部材がロック解除位置の保持から外れ、最もロック方向に回動した位置であるロック方向回動規制位置に位置し、ロック部材がこの位置にある場合に蓋を誤って閉めたとしても、蓋側の蓋側係止部がこのロック部材に設けた傾斜部に当接してロック部材をロック解除位置方向に押し戻すことができるため、ロック部材を損傷させることが防止できる。
【０００８】
第３の発明では、ロック部材を常時ロック方向に付勢しているため、蓋を閉めた後、ロック解除位置に保持されているロック部材の保持を解除すれば、自律的にロック位置にくるよう回動する。弾力性部材の付勢力を十分大きくすれば自律的にロック可能となる。また、第２の発明に依存する場合に関しては、蓋を閉める前にロック部材のロック解除位置の保持が解除されていても、蓋の蓋側係止部によって押し戻されたロック部材は、蓋が閉まると自律的にロック位置に戻る。
【発明を実施するための最良の形態】
【０００９】
以下、本発明を添付図面を用いて詳細に説明する。図１は本発明に係る保冷箱の正面図、図２は図１の矢視Ｂ方向視によるハンドルの異なる状態の側面図、図３は図１の矢視Ｃ方向視によるハンドルの異なる状態であって、蓋の開放された状態を略示した側面図である。保冷箱の各部はネジを除いて合成樹脂材で成形できる。容器本体１０と蓋２０とを有する直方体形状の保冷箱には、この例では容器本体の長手方向に対向する所定対向側壁Ｓ１，Ｓ２の間に亘って、手提げ状態において、蓋２０の上方に長手部３０Ｌが位置するように、ブリッジ状の手提げハンドル３０が装着されている。前記所定対向側壁の一方の側壁Ｓ１の外側に設けた引手収納カバー５０に対し、引手４０が出し入れ可能に構成されている。また、他方の側壁Ｓ２の上部外側にはハンドル装着部６０が装着されている。更には、側壁Ｓ２の下部位置には、転動体としての車輪Ｒが設けられている。
【００１０】
ハンドル３０の一端部には、軸心を一点鎖線で示すように両側壁Ｓ１，Ｓ２の対向方向（長手方向）に延伸した枢軸３０Ｊが引手収納カバー５０の外側壁に装着されている。一方、ハンドルの他端部に、軸心を一点鎖線で示すように両側壁Ｓ１，Ｓ２の対向方向に延伸した枢軸３０Ｊ’がハンドル装着部６０の外側壁に装着されている。こうしてハンドル３０は、他の対向側壁の一方Ｓ３と他方Ｓ４の間に亘って、蓋２０の上方を通って回動（往復動）できる。
【００１１】
蓋２０は、前記他の対向側壁の一方（正面側側壁）Ｓ３との間で、解放可能に蓋縁部を保持できる係止機構２０Ｋ１が設けられている。また、本実施形態例では、他方側壁Ｓ４と蓋との間でも同様な係止機構２０Ｋ２が設けられている。従って、本形態例では図３に２点鎖線２０’で示すように、蓋２０は、係止機構２０Ｋ１を操作して側壁Ｓ４側の蓋縁部が軸支された状態で開放できたり、また、他の２点鎖線２０”で示すように、他の係止機構２０Ｋ２を操作して側壁Ｓ３側の蓋縁部が軸支された状態で開放できたり、或いは両方の係止機構を操作して蓋を容器本体から完全に取り外すこともできる。しかし、一方の係止機構のみであってもよい。図３における記号２０Ｋ２’は、２点鎖線２０”状態の蓋における、係止機構２０Ｋ２の蓋側構造部を示す。また、記号２０Ｋ１’は、２点鎖線２０’状態の蓋における、係止機構２０Ｋ１の蓋側構造部を示す。
【００１２】
本願の保冷箱は、引手収納カバー５０から上方に引き出して幾分回転させた引手４０を引っ張って車輪Ｒを地面上に転がしつつ運搬できる。このような必要性も考えられる大きさの保冷箱であるため、蓋の閉鎖をより確実化させるため、少なくとも一方のサイド部（側壁Ｓ１又はＳ２）にも係止機構としてのロック機構を設ける。この場合は、側壁Ｓ１側には引手４０を設けているため、その対向側である側壁Ｓ２側に設けている。このように運搬には、手提げハンドル使用や、引手と車輪を使った傾斜状運搬の他にも、図示しないが、ベルトを装着使用してもよい。また、引手と車輪使用時において、ベルトを肩に掛けて一緒に使用してもよい。ベルトの一端は、ハンドル装着部６０の外壁下部に装着させ、上下方向に貫通したハンドル装着部の貫通孔を挿通させて設けることができる。ロック部材７０をロックさせると、図４に示すように、ロック部材全体が蓋２０の外周面の内側と下記機構箱１５の中に収まり、下記の蓋部分の開口部の幅をベルトの幅よりも細くすれば、ベルトを肩に掛けた場合のように張力の作用したベルトがハンドル装着部から上方に出た部分は蓋の外周面に当接してロック部材とは干渉しないで済む。
【００１３】
そのロック機構を、図４と図５を主体に説明する。図４は図１の左側上方部の拡大断面図、図５は図２の要部部分破断の拡大図である。側壁Ｓ２の上端部は所定の窪みが形成されており、その窪みには、上部が開口された機構箱１５がほぼ収容されて装着されている。また、この機構箱の上方に位置する蓋部分にも開口部が形成されており、この蓋の開口部から機構箱１５の中１０Ａに亘ってロック部材７０が上下方向に配設されている。このロック部材は、その適宜な位置に、ロック部材がロックする回動方向に突出した凸部を有しており、この凸部の下面がロック部材側係止部７０Ｋとなる。また、ロック部材の前記凸部の上方部分は指掛部７０Ｙであり、ロック状態において、蓋に設けた前記開口部を介して指掛部に指を引っ掛けることができる。
【００１４】
一方、蓋２０の適宜な位置には蓋側係止部２０Ｋが設けられており、蓋が閉められた状態においてロックを行うと、ロック部材７０は概ね上下方向に延伸し、該ロック部材は機構箱と蓋の前記開口部との空間に納まったロック位置となる。また、ロック部材には、ロック部材側係止部７０Ｋを構成する上記凸部と同様な方向に突出し、蓋が開放されていると、概ね上記ロック位置を過ぎた該ロック位置に近い位置状態において、機構箱１５の容器本体１０の内部寄りの壁に当接できる回動規制凸部７０Ｔが形成されている。ロック部材は、このロック位置状態やその付近において表現すれば、上記凸部の上面は容器本体の外方向に立ち上がった傾斜の傾斜部７０Ｓに形成されている。
【００１５】
従って、仮に、蓋が開放された状態において、ロック部材７０が、その回動規制凸部７０Ｔが機構箱の前記壁に当接した位置にあっても、例えば不用意に蓋２０が閉じる際、該ロック部材の傾斜部７０Ｓがロック部材側係止部７０Ｋによって押され、ロック部材が外方向（ロック解除位置の方向）に退避できる。
【００１６】
ロック部材の下端部付近であって、２つの側壁Ｓ３，Ｓ４の対向方向（図１の紙面に垂直な方向）に延伸して機構箱１５に取り付けられている枢軸８０に対し、ロック部材が軸支されている。従って、枢軸８０の周りに回動（遥動、往復動）できる。一方、機構箱１５の外側壁上端６０Ａによってロック部材の外方向への回動は規制され、この規制位置であって本願のロック解除位置である図４に図示の２点鎖線との間を回動できる。ロック位置との間の回動角度範囲は４５度以下であり、この例では２０度である。従って、ロック解除位置においても、側壁Ｓ２に沿った機構箱１５の外壁１５Ｇの内側上端６０Ａに当接して枢軸８０に対する回動が規制されているため、側壁Ｓ２の（基本となる大部分の）外面に対してロック部材７０の上部は少ししか外方向に突出しないで済み、ハンドル３０と干渉しないのみならず、ハンドル３０は、側壁Ｓ２又はハンドル装着部６０に対して大きく外方に突出させることなくスマートに装着できる。更には、ロック部材７０（の上部）は、ロック解除位置にあってもハンドル装着部６０の外壁よりも内側にある。また、ロック部材の当接する機構箱１５の外壁１５Ｇは保冷箱の側壁Ｓ２と一体形成されていてもよい。
【００１７】
更には、ロック部材７０を、蓋側係止部２０Ｋとのロックを解除して上記ロック解除位置に回動させる直前位置には、該ロック部材７０の左右両縁部と弾力的に当接する保持機構としての半球状凸部９０を機構箱１５に設けている。従って、ロック部材をロック解除位置に回動させると、その回動操作の最後近くで節度感を有して半球状凸部９０を乗り越え、前記機構箱１５の外側壁上端６０Ａとの間にロック部材が保持される。
【００１８】
従って、ロック部材をこのロック解除位置に保持させていれば、このロック部材から手を離した状態で蓋の開閉操作等が可能となる。また、この実施形態例では、前記枢軸８０を挿通させたコイル状の捩りばね８５によって、ロック部材７０には常時ロック方向に付勢力が作用している。従って、蓋２０を閉じた位置状態で、ロック部材を所定以上の力でロック解除位置の保持状態からロック方向に開放させると、ロック部材のロック部材側係止部７０Ｋを有する凸部は自律的にロック部材側係止部７０Ｋに当接し、捩りばねの付勢力が十分な大きさであれば、そのままロック状態となる。
【産業上の利用可能性】
【００１９】
本発明は、魚釣りやレジャーに使用するクーラーボックス等の保冷箱（や保温箱）に利用できる。
【図面の簡単な説明】
【００２０】
【図１】図１は本発明に係る保冷箱の正面図である。
【図２】図２は図１の矢視Ｂ方向視によるハンドルの異なる状態の側面図である。
【図３】図３は図１の矢視Ｃ方向視によるハンドルの異なる状態であって、蓋の開放された状態を略示した側面図である。
【図４】図４は図１の左側上方部の拡大断面図である。
【図５】図５は図２の要部部分破断の拡大図である。
【符号の説明】
【００２１】
１０                        容器本体
２０                        蓋
２０Ｋ                      蓋側係止部
２０Ｋ１，２０Ｋ２          係止機構
３０                        ハンドル
３０Ｊ，３０Ｊ’            ハンドルの枢軸
７０                        ロック部材
７０Ｋ                      ロック部材側係止部
７０Ｓ                      傾斜部
７０Ｔ                      回動規制凸部
７０Ｙ                      指掛部（先部）
８０                        枢軸
８５                        捩りばね
９０                        保持機構としての半球状凸部
【図１】
2010173662.tif 000003
【図２】
2010173662.tif 000004
【図３】
2010173662.tif 000005
【図４】
2010173662.tif 000006
【図５】
2010173662.tif 000007